(57)【要約】【課題】情報端末に計測機器を機器登録する際に、ユーザーの負担を軽減することができる技術を提供する。【解決手段】本発明に係る情報管理システムは、超音波を発生可能な発振装置を含む出力手段を備える計測機器が、前記発振装置から、前記計測機器を特定可能な識別情報を含む超音波を発生させ、前記超音波を検知可能なマイクロフォンを備える情報端末が、前記マイクロフォンを介して前記超音波から前記識別情報を取得し、前記識別情報を取得した計測機器を前記情報端末において表示させ、前記表示させた前記計測端末を機器登録する旨の入力を受け付けた場合に、前記情報端末に前記計測機器を機器登録することを特徴とする。【選択図】図１
2020160589.tif 000002
【特許請求の範囲】
【請求項１】
一以上の計測機器と、一以上の情報端末と、を有する情報管理システムであって、
前記計測機器は、
少なくとも超音波を発生可能な発振装置、を含む出力手段と、
前記計測機器を特定する識別情報を含む計測機器情報を、前記発振装置から発生される超音波により発信する制御手段と、を備え、
前記情報端末は、
前記超音波を検知可能なマイクロフォンを含む入力手段と、少なくとも表示手段を含む出力手段と、記憶手段と、制御手段とを備え、
前記情報端末の制御手段は、
前記マイクロフォンを介して、前記計測機器から出力された超音波から前記識別情報を取得し、
前記取得した識別情報を発信した前記計測機器を前記情報端末の表示手段に表示させ、
前記情報端末の表示手段に表示された前記計測機器を前記情報端末に登録する旨の入力を、前記入力手段を介して受け付け、
前記情報端末に登録する旨が入力された前記計測機器の識別情報を、前記記憶手段に記憶させる、
ことを特徴とする、情報管理システム。
【請求項２】
前記計測機器情報には、前記計測機器によって計測された計測値が含まれる、
ことを特徴とする請求項１に記載の情報管理システム。
【請求項３】
前記情報端末の制御手段は、複数の前記計測機器の前記識別情報を取得した場合には、当該識別情報を取得した際に、前記マイクロフォンが検知した超音波の音圧がより強い前記計測機器を優先して前記表示手段に表示させる、
ことを特徴とする、請求項１又は２に記載の情報管理システム。
【請求項４】
前記計測機器の制御手段は、
前記超音波を独自性を有するパターンで発生させるとともに、前記計測機器の出力手段から人が知覚可能な出力を、前記独自性を有するパターンと同じパターンで発生させ、
前記情報端末の制御手段は、
前記情報端末の表示手段に表示させた前記計測機器から前記パターンで発生される出力と同じパターンで、人が知覚可能な出力を前記情報端末の出力手段から発生させ、
前記情報端末の表示手段に表示された前記計測機器からの前記出力の発生パターンと、前記情報端末からの前記出力の発生パターンとが同一である旨の入力を、前記入力手段を介して受け付けることを、前記計測機器を前記情報端末に登録する旨の入力、とする、
ことを特徴とする、請求項１から３のいずれか１項に記載の情報管理システム。
【請求項５】
前記計測機器の出力手段には可聴域の音波を出力可能な音波発生手段が含まれ、
前記計測機器の制御手段は、前記音波発生手段に前記独自性を有するパターンで超音波を出力させるとともに、同一のパターンで可聴域の音波を発生させる、
ことを特徴とする、請求項４に記載の情報管理システム。
【請求項６】
前記計測機器は、表示手段をさらに備えており、
前記計測機器の制御手段は、前記計測機器の音波発生手段に前記独自性を有するパターンで超音波を発生させるとともに、これと同じパターンで前記計測機器の表示手段の表示を変動させる、
ことを特徴とする、請求項４又は５に記載の情報管理システム。
【請求項７】
前記情報端末の制御手段は、前記独自性を有するパターンと同じパターンで、前記情報端末の表示手段の表示を変動させる、
ことを特徴とする、請求項４から６のいずれか１項に記載の情報管理システム。
【請求項８】
前記情報端末の出力手段には、可聴域の音波を発生可能な音波発生手段が含まれ、
前記情報端末の制御手段は、前記独自性を有するパターンと同じパターンで、前記情報端末の音波発生手段に可聴域の音波を発生させる、
ことを特徴とする、請求項４から７のいずれか１項に記載の情報管理システム。
【請求項９】
前記情報端末の出力手段には、前記情報端末を振動させるバイブレーション装置が含まれ、
前記情報端末の制御手段は、前記独自性を有するパターンと同じパターンで、前記情報端末を振動させる、
ことを特徴とする、請求項４から８のいずれか１項に記載の情報管理システム。
【請求項１０】
前記計測機器及び前記情報端末はそれぞれ、相互に情報の送受信が可能な無線通信手段を備えており、前記無線通信手段を介して、互いに機器登録を行う、
ことを特徴とする、請求項１から９のいずれか１項に記載の情報管理システム。
【請求項１１】
前記計測機器は、体重計、体組成計、血圧計、脈拍計、体温計、活動量計、のいずれかである、
ことを特徴とする、請求項１から１０のいずれか１項に記載の情報管理システム。
【請求項１２】
前記情報端末はスマートフォンである
ことを特徴とする、請求項１から１１のいずれか１項に記載の情報管理システム。
【請求項１３】
情報端末に計測機器を機器登録するための方法であって、
前記計測機器から、超音波を発生させることにより、前記計測機器を特定する識別情報を含む計測機器情報を発信するステップと、
前記情報端末において、前記超音波を検知するステップと、
前記超音波から前記識別情報を取得するステップと、
前記取得した識別情報を発信した前記計測機器を前記情報端末において表示するステップと、
前記表示された前記計測機器を前記情報端末に登録する旨の入力を、前記情報端末において受け付けるステップと、
前記情報端末に登録する旨が入力された前記計測機器の識別情報を、前記情報端末において記憶するステップと、
を有する機器登録方法。
【発明の詳細な説明】
【技術分野】
【０００１】
本発明は、計測機器と情報端末を含む情報管理システム、及び計測機器と情報処理端末の機器登録方法に関する。
【背景技術】
【０００２】
近年、体重、血圧値、活動量などの、個人の健康に関する情報（以下、健康情報ともいう）を計測機器によって計測し、当該計測結果をスマートフォンなどの情報端末で記録、分析することで、健康管理を行うことが普及しつつある。
【０００３】
このような健康管理を行う場合には、計測機器による計測の結果を、情報端末に都度ユーザーが入力するのでは無く、計測機器と情報端末とを接続し、情報端末が自動的に計測結果を取得できるようになっていることが望ましい。具体的には、例えば、近距離無線通信などによって、計測機器からの計測情報を情報端末が受信する方法などが考えられるが、同種の複数の計測機器が使用される状況下においては、実際に計測を行った機器以外の計測機器からの情報を誤受信しないようにする必要がある。
【０００４】
このような問題を解決するためには、所定の計測機器を所定の情報端末に機器登録し、当該機器登録した計測機器からの情報のみを取得するようにすれば良い。機器登録は、例えば、個々の計測機器を識別する識別記号を情報端末に登録することによって行われるが、機器の筐体或いはこれに貼付されているシールなどに印字された識別情報を情報端末に手入力する方法が従来から採用されている。
【０００５】
このような方法では、ユーザーにとっては煩雑であり、また、誤入力のおそれもある。これに対して、特許文献１では、計測機器に掲載されたシリアル情報を、受信機器で写真撮影又はコードスキャンすることにより取得し、これによって機器登録を行うことが提案されている。
【０００６】
また、近年、Ｂｌｕｅｔｏｏｔｈ（登録商標）による無線通信を用いたペアリング（機器の相互認証）も普及してきている（例えば特許文献２）。具体的な認証方法は、一方の機器からアドバタイジングでペアリング可能状態である旨を送信し、当該情報を受信したもう一方の機器で、相手方の機器を指定することでペアリングを行うというものである。
【先行技術文献】
【特許文献】
【０００７】
【特許文献１】特表２０１６−５１２９６５号公報
【特許文献２】特開２０１７−１７０１０８号公報
【発明の概要】
【発明が解決しようとする課題】
【０００８】
しかしながら、上記の特許文献１に記載の技術においても、ユーザーが識別情報を撮影（又はスキャン）しなければならず、この点において煩雑な作業が生じるということは従来と同様である。また、上記特許文献２に記載の技術では、複数の同一種類の機器がペアリング可能状態のアドバタイズ情報を送信しているような状況下においては、ユーザーは情報端末に表示される候補のいずれがペアリングしたい対象であるのかを判断することができず、適切にペアリングすることができない。
【０００９】
上記のような従来の技術に鑑み、本発明は、情報端末に計測機器を機器登録する際に、
ユーザーの負担を軽減することができる技術を提供することを目的とする。
【課題を解決するための手段】
【００１０】
上記の課題を解決するため、本発明に係る情報管理システムは、一以上の計測機器と、一以上の情報端末と、を有する情報管理システムであって、前記計測機器は、少なくとも超音波を発生可能な発振装置、を含む出力手段と、前記計測機器を特定する識別情報を含む計測機器情報を、前記発振装置から発生される超音波により発信する制御手段と、を備え、前記情報端末は、前記超音波を検知可能なマイクロフォンを含む入力手段と、少なくとも表示手段を含む出力手段と、記憶手段と、制御手段とを備え、前記情報端末の制御手段は、前記マイクロフォンを介して、前記計測機器から出力された超音波から前記識別情報を取得し、前記取得した識別情報を発信した前記計測機器を前記情報端末の表示手段に表示させ、前記情報端末の表示手段に表示された前記計測機器を前記情報端末に登録する旨の入力を、前記入力手段を介して受け付け、前記情報端末に登録する旨が入力された前記計測機器の識別情報を、前記記憶手段に記憶させる、ことを特徴とする。
【００１１】
上記の計測機器には、体重計、体組成計、血圧計、心拍計、体温計などの身体情報計測機器や、歩数計、各種フィットネス機器が備える活動量計などの活動量計測機器や、温湿度計、騒音計、照度計などの環境情報計測機器、など様々な計測機器が含まれる。また、上記の情報端末には、スマートフォン、タブレット端末、ノートパソコンなどの携帯情報端末の他、据置型の情報端末も含まれる。
【００１２】
なお、上記の識別情報はこれを含む信号を超音波に重畳させて発信されるのであってもよいし、超音波の出力のパターンで識別情報を表すのであってもよい。
【００１３】
このような構成によれば、情報端末に計測機器を機器登録するためにユーザーが行う作業は、計測機器と情報端末とを機器登録状態にすることを、情報端末に表示された計測機器を確認することのみであるため、ユーザーの負担を軽減することができる。また、例え同一種類の計測機器が複数ある場合であっても、マイクロフォンが検知する音圧の強さは超音波の発振源からの距離と相関するため、最も強い音圧の超音波を出力する機器が最も近い機器であるという確度の高い推測に基づいて、情報端末と複数の計測機器との位置関係から、所望の計測機器を選択することができるようになる。
【００１４】
また、前記計測機器情報には、前記計測機器によって計測された計測値が含まれていてもよい。このような構成であれば、超音波を用いて計測値のデータについても送信することができ、データ送信のための他の通信手段を省略することができるため、計測機器のコストを低減することができる。
【００１５】
また、前記情報端末の制御手段は、複数の前記計測機器の前記識別情報を取得した場合には、当該識別情報を取得した際に、前記マイクロフォンが検知した超音波の音圧がより強い前記計測機器を優先して前記表示手段に表示させるようにしてもよい。
【００１６】
情報端末に計測機器を機器登録するような場合には、機器登録しようとする機器に近づいて作業を行うことが通常であるため、このような構成によれば、効率よく所望の計測機器を情報端末に機器登録することができる。
【００１７】
また、前記計測機器の制御手段は、前記超音波を独自性を有するパターンで発生させるとともに、前記計測機器の出力手段から人が知覚可能な出力を、前記独自性を有するパターンと同じパターンで発生させ、前記情報端末の制御手段は、前記情報端末の表示手段に表示させた前記計測機器から前記パターンで発生される出力と同じパターンで、人が知覚可能な出力を前記情報端末の出力手段から発生させ、前記情報端末の表示手段に表示され
た前記計測機器からの前記出力の発生パターンと、前記情報端末からの前記出力の発生パターンとが同一である旨の入力を、前記入力手段を介して受け付けることを、前記計測機器を前記情報端末に登録する旨の入力とするものであってもよい。
【００１８】
なお、ここでいう「パターン」とは、出力のタイミングのことを示しており、超音波の周波数を意味するものではない。ただし、システム内に複数の計測機器が存在する場合には、個々の計測機器の発する超音波の周波数が異なっていてもよい。図１２に、本明細書における「パターン」のイメージ図を示す。図１２の横軸が時間軸を表しており、黒色四角形が出力のあることを示している。
【００１９】
また、上記の「独自性を有する」とは、機器毎に予め固有に定められていることのみを示すのではなく、パターン出力の時点において他の機器との識別が可能なことを意味する。このため、機器毎の個別のシードと乱数表などからその都度作成されるランダムなパターンであってもよい。
【００２０】
上記のようなシステムの構成によれば、人が知覚可能な所定パターンの出力を、計測機器と情報端末の両方で同時に行うため、機器登録しようとしている機器が、情報端末が認識している機器と一致しているか否かを容易に確認したうえで、機器登録を行うことができる。
【００２１】
また、前記計測機器の出力手段には可聴域の音波を出力可能な音波発生手段が含まれ、
前記計測機器の制御手段は、前記音波発生手段に前記独自性を有するパターンで超音波を出力させるとともに、同一のパターンで可聴域の音波を発生させるようにしてもよい。
【００２２】
このような構成であると、ユーザーは前記計測機器を視認しなくとも、音で計測機器の出力するパターンを確認できるため、情報端末のみに集中して機器登録の作業を行うことができ、ユーザーの煩雑さを軽減することができる。
【００２３】
また、前記計測機器は、表示手段をさらに備えており、前記計測機器の制御手段は、前記スピーカーに前記独自性を有するパターンで超音波を発生させるとともに、これと同じパターンで前記表示手段の表示を変動させてもよい。なお、ここでいう表示手段にはフラッシュライトなどの発光手段も含まれ、前記パターンの発生を、発光手段の明滅によって行うのであってもよい。
【００２４】
このような構成であると、ユーザーは計測機器と情報端末の両方を視認することによって機器登録の作業を行うことが出来るため、音声を発生させることが適切でない状況においても、機器登録を行うことができる。
【００２５】
また、前記情報端末の制御手段は、前記独自性を有するパターンと同じパターンで、前記情報端末の表示手段の表示を変動させてもよい。また、ここでいう表示手段にはフラッシュライトなどの発光手段も含まれ、前記パターンの発生を、発光手段の明滅によって行うのであってもよい。
【００２６】
このような構成であれば、ユーザーは機器登録のために情報端末の表示手段を確認するのと同時に、情報端末の出力パターンの確認を行うことができる。また、音声を発生させることが適切でない状況においても、機器登録を行うことができる。
【００２７】
また、前記情報端末の出力手段には、可聴域の音波を発生可能な音波発生手段が含まれ、前記情報端末の制御手段は、前記独自性を有するパターンと同じパターンで、前記情報端末の音波発生手段に可聴域の音波を発生させてもよい。このような構成であると、ユー
ザーは情報端末を視認しないでもパターンの確認を行うことができる。
【００２８】
また、前記情報端末の出力手段には、前記情報端末を振動させるバイブレーション装置が含まれ、前記情報端末の制御手段は、前記独自性を有するパターンと同じパターンで、前記情報端末を振動させてもよい。
【００２９】
このような構成であると、音声を発生させることが不適切な状況においても、ユーザーは情報端末を視認することなく、情報端末からの出力パターンを確認することができる。
【００３０】
また、前記計測機器及び前記情報端末はそれぞれ、相互に情報の送受信が可能な無線通信手段を備えており、前記無線通信手段を介して、互いに機器登録を行うものであってもよい。ここで、無線通信手段には例えばＢｌｕｅｔｏｏｔｈなどの通信方式を用いる事ができる。
【００３１】
このような構成によると、機器登録を行いたい対象の計測機器を探索することを超音波通信で実行しつつ、双方向無線通信によるペアリング（相互認証）を確立し、以後は双方向で情報の送受信を行うことが可能になる。
【００３２】
また、本発明に係る機器登録方法は、情報端末に計測機器を機器登録するための方法であって、前記計測機器から、超音波を発生させることにより、前記計測機器を特定する識別情報を含む計測機器情報を発信するステップと、前記情報端末において、前記超音波を検知するステップと、前記超音波から前記識別情報を取得するステップと、前記取得した識別情報を発信した前記計測機器を前記情報端末において表示するステップと、前記表示された前記計測機器を前記情報端末に登録する旨の入力を、前記情報端末において受け付けるステップと、前記情報端末に登録する旨が入力された前記計測機器の識別情報を、前記情報端末において記憶するステップと、を有する。
【発明の効果】
【００３３】
本発明によれば、情報端末に計測機器を機器登録する際に、ユーザーの負担を軽減することができる。
【図面の簡単な説明】
【００３４】
【図１】図１は、実施形態１に係る情報管理システムの構成例の概略を説明するブロック図である。
【図２】図２は、実施形態１に係る情報管理システムにおける、血圧計の表示画面の一例を示す図である。
【図３】図３は、実施形態１に係る情報管理システムにおける機器登録の処理の流れを示すフローチャートである。
【図４】図４は、実施形態１に係る情報管理システムにおける、スマートフォンの画面表示の一例を示す図である。
【図５】図５は、実施形態２に係る情報管理システムの構成例を示す図である。
【図６】図６は、実施形態２に係る情報管理システムにおける機器登録の処理の流れを示すフローチャートである。
【図７】図７は、実施形態２に係る情報管理システムにおける、スマートフォンの画面表示の一例を示す図である。
【図８】図８は、実施形態３に係る情報管理システムにおける機器登録の処理の流れを示すフローチャートである。
【図９】図９Ａは、実施形態３に係る情報管理システムにおける、スマートフォンの表示の変化の一例を示す第１の図である。図９Ｂは、実施形態３に係る情報管理システムにおける、スマートフォンの表示の変化の一例を示す第２の図である。
【図１０】図１０は、実施形態３に係る情報管理システムにおける、スマートフォンの画面表示の一例を示す図である。
【図１１】図１１は、実施形態４に係る情報管理システムの構成例の概略を説明するブロック図である。
【図１２】図１２は、本明細書におけるパターンのイメージを示す説明図である。
【発明を実施するための形態】
【００３５】
以下、本発明の具体的な実施形態について図面に基づいて説明する。
【００３６】
＜実施形態１＞
まず図１から図５に基づいて、本発明の実施形態の一例について説明する。ただし、この実施形態に記載されている構成部品の寸法、材質、形状、その相対配置などは、特に記載がない限りは、この発明の範囲をそれらのみに限定する趣旨のものではない。
【００３７】
（システム構成）
図１は本実施形態に係る健康情報管理システム１の構成例を示す概略図である。図１に示すように、健康情報管理システム１は、計測機器の一例としての血圧計１０と、情報端末の一例としてのスマートフォン２０を含んでいる。スマートフォン２０は、後述の様に血圧計１０を含む計測機器を機器登録することにより、以後当該機器登録した機器の計測情報を識別して取得することができるようになる。
【００３８】
（計測機器）
本実施形態における血圧計１０は、いわゆるオシロメトリック法によりユーザーの血圧を測定する計測機器であり、図１に示すように、センサ部１１０と、表示部１２０と、スピーカー１３０と、入力部１４０と、計測機器制御部１５０とを含んで構成される。
【００３９】
センサ部１１０は、血圧計１０のカフ部分に配置される圧力センサを備えており、適正なカフ圧下でユーザーの血管から脈波を検出する。本実施形態における血圧計１０では、センサ部が検出する脈波に基づいて、最高血圧、最低血圧に加えて脈拍も計測可能である。以下、最高血圧、最低血圧、脈拍の値をまとめて計測値という。
【００４０】
表示部１２０は、例えば液晶ディスプレイなどによって形成され、算出された計測値を表示する他、機器の作動状態なども表示する。
【００４１】
スピーカー１３０は、音波を発生可能な出力手段であり、可聴域の音波だけでなく、超音波を出力することもできる。
【００４２】
入力部１４０は、ユーザーからの入力を受け付けるボタン、タッチパネルディスプレイなどの入力手段であり、ユーザーから、電源のＯＮ／ＯＦＦ、計測の開始、モードの変更、項目の選択などの各種操作を受け付ける。
【００４３】
計測機器制御部１５０は、血圧計１０の制御を司る手段であり、例えば、ＣＰＵ（Ｃｅｎｔｒａｌ Ｐｒｏｃｅｓｓｉｎｇ Ｕｎｉｔ）などを含んで構成される。計測機器制御部１５０は、入力部１４０を介してユーザーから機器情報登録モードの実行を受け付けると、スピーカー１３０から当該測定機器の識別情報が含まれる超音波を発生させる。なお、識別情報は、例えば図示しない記憶手段などに保持されている。
【００４４】
また、計測機器制御部１５０は、機器情報登録モードの実行中には、表示部１２０に機器登録モードであることが判別可能な表示を出力させてもよい。例えば、「Ｐ」マークを表示させ、これを点滅させてもよい。図２に、ペアリングモード時の表示部１２０の表示
例を示す。
【００４５】
計測機器制御部１５０は、上記の制御の他、入力部１４０を介してユーザーの操作に応じた処理を実行するように血圧計１０の各構成要素を制御する。
【００４６】
（情報端末）
情報端末の一例であるスマートフォン２０は、図１に示すように、マイクロフォン２１０、タッチパネルディスプレイ２２０、記憶部２３０、情報端末制御部２４０、情報端末スピーカー２５０を含んで構成される。
【００４７】
マイクロフォン２１０は、スマートフォン２０の入力手段の一つであり、超音波を含む音波を検知する。
【００４８】
タッチパネルディスプレイ２２０は、出力手段の一つとしての表示手段と入力手段とを兼ねており、後述するように、マイクロフォン２１０が検知した超音波から血圧計１０の識別情報を取得した場合には、当該識別情報を発信した血圧計１０の情報を前記情報端末の表示手段に表示する。その他、各種の入力用画像を介してユーザーからの操作を受け付ける。
【００４９】
記憶部２３０は、ＲＡＭ（Ｒａｎｄｏｍ Ａｃｃｅｓｓ Ｍｅｍｏｒｙ）などの主記憶装置の他、例えばフラッシュメモリなどの長期記憶媒体を含んで構成され、機器登録の対象となる血圧計１０を含む計測機器の識別情報、アプリケーションプログラム、計測値、などの各種の情報を記憶する。
【００５０】
情報端末スピーカー２５０は、音波を出力する出力手段の一つであり、各種の音を出力する。
【００５１】
情報端末制御部２４０はスマートフォンの制御を司る手段であり、例えばＣＰＵなどを含んで構成され、記憶部２３０に格納された各種プログラムを実行することにより、これらに応じた機能を発揮する。具体的には、マイクロフォン２１０を介して、血圧計１０が出力した超音波を検知し、当該超音波から血圧計１０を特定する識別情報を取得する。また、識別情報を取得した血圧計１０の情報をタッチパネルディスプレイ２２０に表示させる。
【００５２】
（情報端末に計測機器を機器登録する方法）
次に、スマートフォン２０に血圧計１０を機器登録する方法について説明する。図３は、血圧計１０を、スマートフォン２０に機器登録する際の処理の手順を示すフローチャートである。
【００５３】
図３に示すように、ユーザーはまず、スマートフォン２０のタッチパネルディスプレイ２２０及び情報端末制御部２４０を介して、スマートフォン２０を計測情報が受信可能な状態で待機させる（ステップＳ１０１）。具体的には、例えば、健康情報管理のためのアプリケーションプログラムを実行するようにしてもよく、情報端末制御部２４０において、当該アプリケーションプログラムがバックグラウンドで常に実行されるようになっていてもよい。
【００５４】
次に、ユーザーは血圧計１０の表示部１２０及び計測機器制御部１５０を介して、血圧計１０を機器登録モードにする（ステップＳ１０２）。機器登録モードになると、計測機器制御部１５０はスピーカー１３０から超音波を出力させる（ステップＳ１０３）。なお、前述のように、当該超音波は血圧計１０を特定可能な識別情報を含んで出力される。
【００５５】
次に、情報待ち受け状態にあるスマートフォン２０のマイクロフォン２１０によって、ステップＳ１０３で出力された超音波が検知される（ステップＳ１０４）。続けて、情報端末制御部２４０は、ステップＳ１０４で検知した超音波に含まれる血圧計１０の識別情報を取得する（ステップＳ１０５）。
【００５６】
そして、情報端末制御部２４０は、識別情報を取得した血圧計１０に係る情報を、タッチパネルディスプレイ２２０に表示し（ステップＳ１０６）、表示された血圧計１０を機器登録する旨の入力を受け付ける。具体的には、タッチパネルディスプレイ２２０に表示されている機器を登録することを確認する操作ボタンを表示させるなどすればよい。図４に、ユーザーの入力を受け付けるための表示画面例を示す。
【００５７】
図４に示す画面のメッセージ欄には「現在機器登録受付可能な機器が表示されています。表示されている機器と本機の出力パターンが同じであれば、『ＯＫ』を選択してください。この機器を本機に登録します。」と表示されている。即ち、表示されている血圧計１０を機器登録する旨が示されている。
【００５８】
ユーザーが、表示された計測機器を機器登録する旨の入力を行うと（ステップＳ１０７）、情報端末制御部２４０は、ステップＳ１０５で取得した識別情報を、記憶部２３０に記憶させ（ステップＳ１０８）、一連の処理が終了する。
【００５９】
ステップＳ１０８における識別情報の記憶によって、スマートフォン２０に特定の血圧計１０が識別可能に登録され、機器登録が完了する。このような機器登録が行われた後は、情報端末制御部２４０は、計測値としては、記憶部２３０に記憶された識別情報を送信する血圧計１０から送信される計測値のみを取得することができる。
【００６０】
なお、上記の一連の流れにおいて、ステップＳ１０３の処理とステップＳ１０４の処理は、順序が逆に実行されてもよいし、同時に実行されてもよい。
【００６１】
上記のようなシステムの構成によれば、計測機器を情報端末に機器登録するためにユーザーが行う作業は、計測機器と情報端末を機器登録モードにすることと、タッチパネルディスプレイに表示された機器を登録するか否かを確認するだけでよく、機器登録のためのユーザー負担は極めて少なくて済む。また、識別情報の送信をスピーカーから出力する超音波によって行うため、近距離無線通信のための装置を別途搭載する必要がなく、システムを構成する機器のコストを低減することができる。
【００６２】
＜実施形態２＞
次に、図５から図７に基づいて、本発明の他の実施形態について説明する。以下では、実施形態１と同じ構成要素については同一の符号を付し、詳細な説明は省略する。
【００６３】
図５は本実施形態に係る健康情報管理システム２の構成例を示す概略図である。図６に示すように、健康情報管理システム２は、複数の血圧計１０ａ、１０ｂ、１０ｃ及びスマートフォン２０を含んでいる。なお、それぞれの血圧計１０ａ、１０ｂ、１０ｃ、及び、スマートフォン２０の構成要素は、実施形態１の場合と同様であるため、説明は省略する。
【００６４】
本実施形態における健康情報管理システム２は、実施形態１とは異なり、複数の血圧計を有しているため、ユーザーが機器登録したい血圧計とは異なる血圧計の計測情報を、スマートフォン２０で受信するおそれがある。このため、血圧計１０をスマートフォン２０に機器登録する際の処理において、実施形態１とは異なる手順を実行する。
【００６５】
図６は、本実施形態の健康情報管理システム２において、血圧計１０をスマートフォン２０に機器登録する際の処理の手順を示すフローチャートである。ステップＳ２０１からステップＳ２０５までの処理は、実施形態１のステップＳ１０１からステップＳ１０６までと同様である。即ち、ユーザーは、ステップＳ２０１においてスマートフォン２０を待機状態にし、ステップＳ２０２において血圧計１０を機器登録モードにする。そして、計測機器制御部１５０は、ステップＳ２０３において血圧計１０から識別情報を含む超音波を発生させる。さらに、情報端末制御部２４０は、ステップＳ２０４においてマイクロフォン２１０で超音波を検知し、ステップＳ２０５において検知した超音波に含まれる識別情報を取得する。
【００６６】
次に、情報端末制御部２４０は、ステップＳ２０５において取得した識別情報を発信した血圧計１０の一覧をタッチパネルディスプレイ２２０に表示させ、ユーザーに一の機器を選択するように求める（ステップＳ２０６）。図７は、複数の血圧計１０から識別情報を取得した場合に、その一覧を表示するタッチパネルディスプレイ２２０の表示画面の一例である。図７に示すように、複数の計測機器から識別情報を取得した場合には、その識別情報を伝達した超音波の音圧の強い順に機器を一覧表示してもよい。音圧の強さと、超音波の出力元までの距離は相関関係にあるため、音圧が強いほど近くにある機器であると推測ができ、これに基づいて、登録を希望する血圧計１０との位置関係から、一覧表示された血圧計のうち、いずれを選択すればよいか判断することができる。
【００６７】
ユーザーによって一覧表示された血圧計１０のなかから任意の一つの機器を選択されると（ステップＳ２０７）、情報端末制御部２４０は、タッチパネルディスプレイ２２０に当該選択された血圧計１０に係る情報を表示し、表示された血圧計１０を機器登録する旨の入力を受け付ける。この場合、例えば実施形態１における図４と同様の表示画面例によって入力を求めるようにしてもよい。
【００６８】
ユーザーが、表示された計測機器を機器登録する旨の入力を行うと（ステップＳ２０８）、情報端末制御部２４０は、ステップＳ２０５で取得した識別情報を、記憶部２３０に記憶させ（ステップＳ２０９）、一連の処理を終了する。
【００６９】
ステップＳ２０９における識別情報の記憶によって、スマートフォン２０に特定の血圧計１０が識別可能に登録され、機器登録が完了する。このような機器登録が行われた後は、情報端末制御部２４０は、計測値としては、記憶部２３０に記憶された識別情報を送信する血圧計１０から送信される計測値のみを取得することができる。
【００７０】
本実施形態の様な構成によれば、同種の複数の計測機器が使用される情報管理システムにおいて、同時に機器登録モードになっている計測機器があった場合でも、情報端末が検知する超音波の音圧から機器登録したい計測機器との距離を推測することができ、これに基づいて情報端末において機器登録する計測機器を選択することができる。
【００７１】
（変形例）
なお、上記の実施形態２において、ステップＳ２０６では、スマートフォン２０が検知した超音波の音圧が強い順に血圧計１０を一覧表示するようにしていたが、必ずしもこのようにする必要はなく、例えば、識別情報を取得した順に一覧表示してもよい。また、
必ず一覧表示をさせる必要も無く、例えば検知した超音波の音圧が最も強い血圧計１０のみを、第１の候補として表示してもよい。
【００７２】
＜実施形態３＞
次に、図８から図１０に基づいて、本発明のさらに他の実施形態について説明する。本
実施形態に係る健康情報管理システムは、システムの構成要素は実施形態１と同一の構成であるが、機器登録を行う際の処理が実施形態１とは異なっている。図８は、本実施形態において、血圧計１０を、スマートフォン２０に機器登録する際の処理の手順を示すフローチャートである。
【００７３】
図８に示すように、ユーザーはまず、スマートフォン２０のタッチパネルディスプレイ２２０及び情報端末制御部２４０を介して、スマートフォン２０を計測情報が受信可能な状態で待機させる（ステップＳ３０１）。具体的には、例えば、健康情報管理のためのアプリケーションプログラムを実行するようにしてもよく、情報端末制御部２４０において、当該アプリケーションプログラムがバックグラウンドで常に実行されるようになっていてもよい。
【００７４】
次に、ユーザーは血圧計１０の表示部１２０及び計測機器制御部１５０を介して、血圧計１０を機器登録モードにする（ステップＳ３０２）。機器登録モードになると、計測機器制御部１５０はスピーカー１３０から、独自性を有するパターンで超音波を出力させる（ステップＳ３０３）。なお、前述のように、当該超音波は血圧計１０を特定可能な識別情報を含んで出力される。
【００７５】
さらに、計測機器制御部１５０はスピーカー１３０から、前記パターンに連動する拍子で信号音を発生させる（ステップＳ３０４）。なお、この際、計測機器制御部１５０は、表示部に前記パターンと同じパターンで変動する表示を出力させてもよい。さらに、図示しないＬＥＤライトを、前記パターンに合わせて明滅させてもよい。
【００７６】
次に、情報待ち受け状態にあるスマートフォン２０のマイクロフォン２１０によって、ステップＳ３０３で出力された超音波が検知される（ステップＳ３０５）。続けて、情報端末制御部２４０は、ステップＳ３０５で検知した超音波に含まれる血圧計１０の識別情報を取得する（ステップＳ３０６）。
【００７７】
そして、情報端末制御部２４０は、識別情報を取得した血圧計１０に係る情報を、タッチパネルディスプレイ２２０に表示し（ステップＳ３０７）、血圧計１０から出力されている音声（及び、その他の出力）のパターンと同じパターンで変動する画像表示をタッチパネルディスプレイ２２０に出力する（ステップＳ３０８）。なお、この際、情報端末制御部２４０は情報端末スピーカー２５０から前記パターンと同じパターンで音声を出力させてもよいし、図示しないその他の出力手段から前記パターンと同じパターンの出力を発生させてもよい。具体的には、例えばＬＥＤライトを前記パターンと同じパターンで明滅させてもよいし、バイブレーション装置を前記パターンと同じパターンで振動させてもよい。図９に、タッチパネルディスプレイ２２０にパターンを示すアニメーションの変動を表示する場合の一例を示す。図９Ａは出力がないタイミングの表示画面例を示す図であり、図９Ｂは出力があるタイミングの表示画面例を示す図であり、タッチパネルディスプレイ２２０のＬＥＤライトも同時に点灯していることを示している。
【００７８】
さらに、情報端末制御部２４０は、血圧計１０から出力されている音声の出力パターンと、スマートフォン２０のタッチパネルディスプレイ２２０の表示の変動（及び、その他の出力）のパターンが同一である場合には、その旨を入力するようにユーザーに求める（ステップＳ３０９）。具体的には、タッチパネルディスプレイ２２０にパターンが一致していることの入力を行う操作ボタンを表示させるなどすればよい。図１０に、ステップＳ３０９でユーザーの入力を受け付けるための表示画面例を示す。
【００７９】
図１０に示す画面のメッセージ欄には「現在機器登録受付可能な機器が表示されています。表示されている機器と本機の出力パターンが同じであれば、『ＯＫ』を選択してくだ
さい。この機器を本機に登録します。」と表示されている。即ち、血圧計１０から出力されている出力パターンと、スマートフォン２０から出力されている出力パターンが同一であることが入力されれば、血圧計１０をスマートフォン２０に機器登録する旨が示されている。
【００８０】
ステップＳ３０９で、血圧計１０から出力されている音声の出力パターンと、スマートフォン２０のタッチパネルディスプレイ２２０の表示の変動のパターンが同一である旨の入力を受けた後、情報端末制御部２４０は、ステップＳ３０６で取得した識別情報を、記憶部２３０に記憶させ（ステップＳ３１０）、一連の処理が終了する。
【００８１】
ステップＳ３１０における識別情報の記憶によって、スマートフォン２０に特定の血圧計１０が識別可能に登録され、機器登録が完了する。このような機器登録が行われた後は、情報端末制御部２４０は、計測値としては、記憶部２３０に記憶された識別情報を送信する血圧計１０から送信される計測値のみを取得することができる。
【００８２】
なお、上記の一連の流れにおいて、ステップＳ３０３の処理とステップＳ３０４の処理は、順序が逆に実行されてもよいし、同時に実行されてもよい。
【００８３】
上記のようなシステムの構成によれば、計測機器を情報端末に機器登録するためにユーザーが行う作業は、計測機器と情報端末を機器登録モードにすることと、計測機器から出力されるパターンと、情報端末から出力されるパターンが同一であるか否かを確認するだけでよく、機器登録のためのユーザー負担は極めて少なくて済む。また、パターンは人が知覚可能な方法で出力されるため、情報端末から機器登録しようとしている計測機器が、本当にユーザーの機器登録したい機器であるのかということを、ユーザーにおいて判断することが可能であり、ユーザーの不安感を取り除くことができる。さらに、識別情報の送信をスピーカーから出力する超音波によって行うため、近距離無線通信のための装置を別途搭載する必要がなく、システムを構成する機器のコストを低減することができる。
【００８４】
＜実施形態４＞
次に、図１１に基づいて、本発明のさらに他の実施形態について説明する。以下では、実施形態１と同じ構成要素については同一の符号を付し、詳細な説明は省略する。図１１は本実施形態に係る健康情報管理システム４の構成例を示す概略図である。図１１に示すように、健康情報管理システム３は、計測機器の一例としての血圧計３０と、情報端末の一例としてのスマートフォン４０を含んでいる。
【００８５】
血圧計３０は、実施形態１に係る血圧計１０と比べ、計測機器通信部３６０を備えている点において異なっており、その他の点については血圧計１０と同様である。また、スマートフォン４０も、情報端末通信部４６０を備えている点において実施形態１のスマートフォン２０と異なっており、その他の点はスマートフォン２０と同様である。
【００８６】
計測機器通信部３６０、情報端末通信部４６０はそれぞれ、Ｂｌｕｅｔｏｏｔｈ等の双方向無線通信を行うための通信アンテナであり、血圧計３０とスマートフォン４０とはそれぞれの通信部を介して無線通信が可能なように構成されている。このような構成であることにより、血圧計３０とスマートフォン４０とは双方向に無線通信を行い、ペアリングを実施することができる。
【００８７】
しかしながら、Ｂｌｕｅｔｏｏｔｈでは近くに存在する機器から受信する電波が強いとは限らず、通信可能範囲も超音波に比べると広いため、登録対象機器と同種の機器が複数通信圏内に含まれると、ユーザーはいずれの機器を登録してよいか判別することが困難になる。
【００８８】
このため、本実施形態における血圧計３０とスマートフォン４０とは、Ｂｌｕｅｔｏｏｔｈのアドバタイジングによってペアリング相手を探索するのでは無く、実施形態１の場合と同様の方法によって、スマートフォン４０に機器登録する血圧計３０を決定する。
【００８９】
具体的には、血圧計３０から識別情報を含む超音波を出力し、スマートフォン４０は、前記超音波を検知して、超音波から血圧計３０の識別情報を取得し、血圧計３０に係る情報をタッチパネルディスプレイ２２０に表示する。ユーザーが表示された血圧計３０を機器登録する旨をスマートフォン４０に入力することで、血圧計３０をペアリング相手として決定する。このようにして血圧計３０とスマートフォン４０との間でペアリングが成立した後は、計測機器通信部３６０及び情報端末通信部４６０を介した無線通信により、両者の間での双方向の情報通信が可能になる。
【００９０】
本実施形態の様な構成によれば、超音波を用いてペアリング相手を探索することで、複数の計測機器が含まれている場合であっても、音圧の強度とペアリング相手の距離との関係から、情報端末でペアリング対象となる機器を判断したうえで、計測機器と情報端末とのペアリングを行うことができるとともに、計測機器と情報端末との間で双方向の情報通信が可能な接続を確立することができる。
【００９１】
＜その他＞
上記の各例の説明は、本発明を例示的に説明するものに過ぎず、本発明は上記の具体的な形態には限定されない。本発明は、その技術的思想の範囲内で種々の変形及び組み合わせが可能である。
【００９２】
例えば、計測機器は血圧計以外に、体重計、体組成計、脈拍計、体温計などの他の身体情報測定機器であってもよい。また、歩数計や、トレッドミル、エアロバイク（登録商標）などにおける運動量を計測する活動量計であってもよい。この場合には、表示部に表示させる計測値は、歩数、走行（歩行）距離などであってもよいし、推定消費熱量などの値であってもよいし、これらの両方を表示するようにしてもよい。また、計測機器は、室温、湿度、騒音、照度などの環境情報を測定する環境センサ機器であってもよい。なお、上記の例ではシステムを構成する計測機器は血圧計１種類のみであったが、複数の異なる計測機器を含んでシステムが構成されてもよい。
【００９３】
また、情報端末はスマートフォンにかぎらず、タブレット端末などの他の携帯情報端末であってもよいし、据置型の端末であってもよい。また、上記実施形態３における通信部は、Ｂｌｕｅｔｏｏｔｈ通信を行うためのものに限らず、赤外線通信など他の無線通信を行うことが可能なアンテナであってもよい。
【００９４】
また、上記実施形態４に係る血圧計３０及びスマートフォン４０を上記実施形態２における情報管理システムに適用しても構わない。
【符号の説明】
【００９５】
１、２、３・・・情報管理システム
１０、３０・・・血圧計
１１０・・・センサ部
１２０・・・表示部
１３０・・・計測機器スピーカー
１４０・・・入力部
１５０・・・計測機器制御部
２０、４０・・・スマートフォン
２１０・・・マイクロフォン
２２０・・・タッチパネルディスプレイ
２３０・・・記憶部
２４０・・・情報端末制御部
２５０・・・情報端末スピーカー
３６０・・・計測機器通信部
４６０・・・情報端末通信部
【図１】
2020160589.tif 000003
【図２】
2020160589.tif 000004
【図３】
2020160589.tif 000005
【図４】
2020160589.tif 000006
【図５】
2020160589.tif 000007
【図６】
2020160589.tif 000008
【図７】
2020160589.tif 000009
【図８】
2020160589.tif 000010
【図９】
2020160589.tif 000011
【図１０】
2020160589.tif 000012
【図１１】
2020160589.tif 000013
【図１２】
2020160589.tif 000014